【手続補正書】
【提出日】平成29年9月21日(2017.9.21)
【手続補正１】
【補正対象書類名】明細書
【補正対象項目名】０１８４
【補正方法】変更
【補正の内容】
【０１８４】
【表６】
2017500221.tif 000001
本発明の実施態様の一部を以下の項目［１］−［３０］に記載する。
［項目１］
ポリアクリレートと重合性モノマーとの反応生成物の相互貫入ネットワークを含む硬化接着剤層によって第２の光学フィルムの微細構造化表面層に接着される第１の光学フィルムを含み、前記第２の光学フィルムが前記硬化接着剤層と前記第２の基材の前記微細構造化表面層との間に配置されるプライマー層を更に含み、前記プライマー層がポリアクリレートと窒素含有ポリマーとを含む、光学フィルム積層体。
［項目２］
前記第１の光学フィルムが、前記硬化接着剤層によって前記第２の光学フィルムの前記微細構造化表面層に接着される第１の表面上に主に光学ゲインをもたらすよう設計される光学活性部分を含む複数の構造体を、前記構造体の一部が前記接着剤層に貫入して、前記硬化接着剤層と前記第１の表面との間に隔離部を設けるようにして、含む、項目１に記載の光学フィルム積層体。
［項目３］
前記第１の光学フィルム又は構造体の少なくとも一部が、前記接着剤層に貫入する接着部分を含む、項目２に記載の光学積層体。
［項目４］
前記構造体の光学活性部分が、前記接着剤層に貫入しない、項目３に記載の光学積層体。
［項目５］
前記構造体が、プリズム微細構造体を含む、項目１〜４のいずれか一項に記載の光学積層体。
［項目６］
前記プリズムの少なくとも一部が、前記プリズムの先端部から延在し、光学不活性接着部分として機能する柱状体を含む、項目５に記載の光学積層体。
［項目７］
前記光学積層体が、少なくとも１．８の光学ゲインを有する、項目１〜６のいずれか一項に記載の光学積層体。
［項目８］
前記硬化接着剤層と前記第１の表面との間の前記隔離部が、空気界面をもたらす、項目１〜７のいずれか一項に記載の光学積層体。
［項目９］
前記硬化接着剤層が、２５℃において１００〜２０００ＭＰａの範囲の弾性率を有する、項目１〜８のいずれか一項に記載の光学積層体。
［項目１０］
前記窒素含有ポリマーが、自由電子対を含む少なくとも１つの窒素原子を含む、項目１〜９のいずれか一項に記載の光学積層体。
［項目１１］
前記硬化接着剤層が、窒素含有モノマー又はポリマーを含まない、項目１〜１０のいずれか一項に記載の光学積層体。
［項目１２］
前記プライマー層が、最大５重量％までの１つ又は２つ以上の窒素含有ポリマーを含む、項目１〜１１のいずれか一項に記載の光学積層体。
［項目１３］
前記窒素含有ポリマーが、ビニルカプロラクタム、ビニルピロリドン、又はそれらの組み合わせのホモポリマー又はコポリマーである、項目１〜１２のいずれか一項に記載の光学積層体。
［項目１４］
前記接着剤層の前記重合性モノマーが、カチオン重合性基あたり１５０ｇ／モル未満の分子量を有するカチオン重合性基を含むモノマーを含む、項目１〜１３のいずれか一項に記載の光学積層体。
［項目１５］
前記硬化接着剤層の前記重合性モノマーがエポキシ樹脂である、項目１〜１４のいずれか一項に記載の光学積層体。
［項目１６］
前記硬化接着剤層が、光活性化カチオン性反応開始剤を更に含む、項目１４又は１５に記載の光学積層体。
［項目１７］
前記硬化接着剤層が、約３５重量％〜約７５重量％の前記ポリアクリレートを含む、項目１〜１６のいずれか一項に記載の光学積層体。
［項目１８］
前記硬化プライマー層が、少なくとも７５重量％の前記ポリアクリレートを含む、項目１〜１７のいずれか一項に記載の光学積層体。
［項目１９］
前記プライマー層、接着剤層、又はそれらの組み合わせの前記ポリアクリレートが感圧性接着剤である、項目１〜１８のいずれか一項に記載の光学積層体。
［項目２０］
前記プライマー層、接着剤層、又はそれらの組み合わせの前記ポリアクリレートが、分枝状のＣ４〜Ｃ１２アルキル基を含むモノマー繰り返し単位を少なくとも４０重量％含む、項目１〜１９のいずれか一項に記載の光学積層体。
［項目２１］
前記微細構造化表面層が、複数のピークを含み、前記ピークが艶消粒子を含まない、項目１〜２０のいずれか一項に記載の光学積層体。
［項目２２］
基材と、前記基材上に配置されたプライマー層と、前記プライマー層上に配置された接着剤層と、を含み、前記プライマー層が、ポリアクリレートと、窒素含有ポリマーと、を含み、前記接着剤層が、ポリアクリレート構成成分を含む、物品。
［項目２３］
前記接着剤が、第２の基材又は剥離ライナーに更に接着される、項目２２に記載の物品。
［項目２４］
少なくとも１つの基材が、微細構造化表面層を更に含み、前記プライマー層が前記微細構造化表面層に接着される、項目２２又は２３に記載の物品。
［項目２５］
前記微細構造化表面層が、複数のピークを含み、前記ピークが艶消粒子を含まない、項目２４に記載の物品。
［項目２６］
前記基材が、光学基材である、項目２２〜２５のいずれか一項に記載の物品。
［項目２７］
前記接着剤が、前記ポリアクリレートと重合性モノマーとの前記反応生成物の相互貫入ネットワークを含む、項目２２〜２６のいずれか一項に記載の物品。
［項目２８］
前記物品が、項目９〜２０のいずれか一項又は組み合わせによって更に特徴付けられる、項目２２〜２７のいずれか一項に記載の物品。
［項目２９］
基材をプライマー層でコーティングする工程であって、前記プライマー層が、ポリアクリレートと、窒素含有ポリマーと、を含む工程と、
前記プライマー層の上に接着剤層を配置する工程であって、前記接着剤組成物がポリアクリレート構成成分を含む工程と、を含む、基材を作製する方法。
［項目３０］
項目２３〜２８のいずれか一項又は組み合わせによって更に特徴付けられる、項目２９に記載の方法。
【手続補正２】
【補正対象書類名】特許請求の範囲
【補正対象項目名】全文
【補正方法】変更
【補正の内容】
【特許請求の範囲】
【請求項１】
ポリアクリレートと重合性モノマーとの反応生成物の相互貫入ネットワークを含む硬化接着剤層によって第２の光学フィルムの微細構造化表面層に接着される第１の光学フィルムを含み、前記第２の光学フィルムが前記硬化接着剤層と前記第２の基材の前記微細構造化表面層との間に配置されるプライマー層を更に含み、前記プライマー層がポリアクリレートと窒素含有ポリマーとを含む、光学フィルム積層体。
【請求項２】
前記第１の光学フィルムが、前記硬化接着剤層によって前記第２の光学フィルムの前記微細構造化表面層に接着される第１の表面上に主に光学ゲインをもたらすよう設計される光学活性部分を含む複数の構造体を、前記構造体の一部が前記接着剤層に貫入して、前記硬化接着剤層と前記第１の表面との間に隔離部を設けるようにして、含む、請求項１に記載の光学フィルム積層体。
【請求項３】
前記第１の光学フィルム又は構造体の少なくとも一部が、前記接着剤層に貫入する接着部分を含む、請求項２に記載の光学積層体。
【請求項４】
前記構造体の光学活性部分が、前記接着剤層に貫入しない、請求項３に記載の光学積層体。
【請求項５】
前記構造体が、プリズム微細構造体を含む、請求項１〜４のいずれか一項に記載の光学積層体。
【請求項６】
前記プライマー層が、最大５重量％までの１つ又は２つ以上の窒素含有ポリマーを含み、前記窒素含有ポリマーが、ビニルカプロラクタム、ビニルピロリドン、又はそれらの組み合わせのホモポリマー又はコポリマーである、請求項１〜５のいずれか一項に記載の光学積層体。
【請求項７】
前記接着剤層の前記重合性モノマーが、カチオン重合性基あたり１５０ｇ／モル未満の分子量を有するカチオン重合性基を含むモノマーを含む、請求項１〜６のいずれか一項に記載の光学積層体。
【請求項８】
前記プライマー層、接着剤層、又はそれらの組み合わせの前記ポリアクリレートが感圧性接着剤である、請求項１〜７のいずれか一項に記載の光学積層体。
【請求項９】
前記プライマー層、接着剤層、又はそれらの組み合わせの前記ポリアクリレートが、分枝状のＣ４〜Ｃ１２アルキル基を含むモノマー繰り返し単位を少なくとも４０重量％含む、請求項１〜８のいずれか一項に記載の光学積層体。
【請求項１０】
基材と、前記基材上に配置されたプライマー層と、前記プライマー層上に配置された接着剤層と、を含み、前記プライマー層が、ポリアクリレートと、窒素含有ポリマーと、を含み、前記接着剤層が、ポリアクリレート構成成分を含む、物品。